(57)【特許請求の範囲】
【請求項１】
四角枠をなす枠材とその枠材のなす表裏面に固定される面材とを備え、その内部に配線された電線と組立現場でパネル外に引き出し可能となるように束状とされた電線とを収納してなる建築用パネルであって、
上記枠材の枠内には、束状にされた電線と、その束状にされた電線に接触可能であってこの束状にされた電線とその電線に接触する周囲の部材との間を仕切るとともに束状にされた電線を引き出す際にはこの束状にされた電線に加わる摩擦抵抗を小さくして束状にされた電線を引出し易くするための仕切板とを収納し、
その仕切板は、上記束状にされた電線の周囲を包装して電線を束状にしたままで建築用パネル外に引き出し可能に保持し、
前記面材には、上記束状にされた電線を建築用パネル外へ連続させるための貫通孔たる電線取り出し孔が設けられていることを特徴とする建築用パネル。
【発明の詳細な説明】
【０００１】
【産業上の利用分野】
この発明は建築用パネル、更に詳しくは、住宅を建設するのに用いる建築用パネルの内部にＦケーブル、テレビケーブルなどの電線を収納した建築用パネルに関する。
【０００２】
【従来の技術】
従来より、建築用パネルを用いて建物を建築することが行われていた。
一方、建物においては、Ｆケーブル、テレビケーブル、電話配線、弱電流電線等の電線を建物内部に配線しなければならなかった。その配線は、例えば現場にて組上がった建築用パネルに孔を開け、その孔から電線を突っ込み、また、屋根裏や、建築用パネルの内部や裏側を通して、建築用パネルに予め工場で設置されたコンセントやスイッチ位置まで延ばして建物の室内に取り込んでいた。
【０００３】
【発明が解決しようとする課題】
しかしながら、従来の技術では、建築用パネルなどを用いて建築構造物ができあがった後に、その建築用パネルへの加工を行ったり、建築用パネルを避けたりしながら電線を配線しなければならなかった。この電線の配線のパターンには、スイッチ、コンセント及びＴＶ端子等の組合せにより数十種類以上もあり、複雑で煩雑なものであった。
また、この作業は、煩雑な上に現場作業のため、効率が悪くなるとともに、建築用パネルの内部という直接、目に見えない場所への配線のため、作業者に熟練を要していた。
【０００４】
また、電線と建築用パネルとは必ず現場において組み立てられていたが、その輸送は別々に行われていた。
本発明が解決すべき課題は、電線の配線という現場での作業を軽減できる建築用パネルを提供することにある。
【０００５】
すなわち、本願の請求項１記載の発明は、建築用パネルの内部に予め電線を配線並びに束状にして収納し、現場における配線の手間を省略化できるとともに、束状にされた電線との間の摩擦抵抗を小さくした仕切板を用いることにより、束状にされた電線をスムーズに建築用パネルの内部から外部に引っ張り出すことができて、現場作業が容易な建築用パネルを提供することを目的とする。
【０００６】
【０００７】
【０００８】
【０００９】
【００１０】
【００１１】
【課題を解決するための手段】
本発明は、上記した目的を達成するためのものである。
本願の請求項１記載の発明は、四角枠をなす枠材(11)とその枠材(11)のなす表裏面に固定される面材(14)とを備え、その内部に配線された電線(20)と組立現場でパネル外に引き出し可能となるように束状とされた電線(20)とを収納してなる建築用パネル(10)であって、上記枠材(11)の枠内には、束状にされた電線(20)と、その束状にされた電線(20)に接触可能であってこの束状にされた電線(20)とその電線(20)に接触する周囲の部材との間を仕切るとともに束状にされた電線(20)を引き出す際にはこの束状にされた電線(20)に加わる摩擦抵抗を小さくして束状にされた電線(20)を引出し易くするための仕切板(40)とを収納し、その仕切板(40)は、上記束状にされた電線(20)の周囲を包装して電線(20)を束状にしたままで建築用パネル(10)外に引き出し可能に保持し、前記面材(14)には、上記束状にされた電線(20)を建築用パネル(10)外へ連続させるための貫通孔たる電線取り出し孔(14A) が設けられていることを特徴とする。
なお、ここで束状に収納とは、一まとめにくくってあることを意味するのではなく、交互に所定長さで折り返して収納されていることを意味する。また、ここで電線取り出し孔(14A) の外観形状は、特に限定されるものではなく、円形、楕円形、雲形、または三角形、四角形等の多角形、あるいは任意の形状でも良い。
【００１２】
【００１３】
【００１４】
【００１５】
【００１６】
【００１７】
【００１８】
【作用】
本願の請求項１記載の発明によれば、建築用パネル(10)の内部に電線(20)を配線、並びに束状にして収納しているため、電線(20)を建築用パネル(10)と一体化することができる。このため、輸送時において電線(20)と建築用パネル(10)とを別々に輸送しなくてもよく、建築用パネル(10)を用いて建物の構成を行えば、建築用パネル(10)に沿って行うべき配線が終了することとなる。
【００１９】
そして、仕切板(40)が、束状にされた電線(20)の周囲を包装してこの束状にされた電線(20)を接触可能に保持している。このため、建築用パネル(10)の内部から束状にされた電線(20)を建築用パネル(10)の外に引っ張り出す際には束状にされた電線(20)が仕切板(40)の表面に沿って移動することができ、束状にされた電線(20)に加わる摩擦抵抗が小さくなる。したがって、電線(20)を小さな引き出し力で、スムーズに引っ張り出すことができる。これにより、建築用パネル(10)の内部に収納された束状にされた電線(20)の引き出し作業が容易となり、組立現場における現場作業を容易なものとすることができる。
【００２０】
【００２１】
【００２２】
【００２３】
【００２４】
【００２５】
【００２６】
【００２７】
【００２８】
【００２９】
【００３０】
【実施例】
以下、本発明を図面に基づいてさらに詳しく説明する。
ここで用いる図面は、図１〜３である。図１は、本発明に係る建築用パネルの原理を説明するための組立斜視図、図２は、電線取り出し孔の外観斜視図、図３は、本発明の建築用パネルを用いた配線の様子の斜視図を各々に示す。
【００３１】
まず、本発明に係る建築用パネルの概略構成について説明する。以下の構成は全て、パネル製作を行う工場にて構成する。
すなわち、本発明は、縦長の四角枠状をなす枠材11と、その枠材11のなす表裏面に固定される面材14とを備える建築用パネルにおいて達成されるものである。この建築用パネル10の枠材11における枠内は、縦方向に縦芯材12を横方向に二本の横芯材13,13 を備えて、全体が６個の区画に分割されている。また、枠材11のなす表裏面には、面材14が固定される。もちろん、適用できる建築用パネル10の形状は、上述した建築用パネル10に限定されるものではなく、縦芯材12及び横芯材13の数も上述した以外の任意の数でも良く、またそれらの芯材により分割される区画の数も上述した以外の任意の数のものでも良い。
【００３２】
このような建築用パネル10の枠材11の枠内には電線20が収納されている。ここで、電線20とは、Ｆケーブル、テレビケーブル、電話配管、弱電流電線、センサー線などを含む概念である。収納される電線20は、図１に示すように、建築用パネル10における縦方向の枠材の一本に沿った形で収納され、収納される電線20の大部分が枠材11、縦芯材12および横芯材13に囲まれた一区画の中に、交互に所定長さで折り返して収納されている。また、この電線20は、図１に示すように、束状にされた電線20の長手方向が枠材11の長辺方向と略平行となるように収納されている。
【００３３】
そして、その区画における面材14における小口面11A に近いところには、図１，２に示すように、電線20の一部を建築用パネル10外へ連続させるための貫通孔たる電線取り出し孔14A を備えている。この電線取り出し孔14A は、図１，２に示すように、その内周形状が三角形状であって、この底辺が枠材11の短辺に平行となるように形成されている。なお、この電線取り出し孔14A に対しては、図示を省略するものの、その電線取り出し孔14A を塞ぐ蓋を用意しており、工場から出荷する際にはその蓋を固定し、現場で束状にされた電線20を建築用パネル10から取り出す際には取り外す。束状にされた電線20を建築用パネル10から取り外した後には、蓋を電線取り出し孔14A に接着して、再度固定する。
【００３４】
一方、その電線取り出し孔14A の反対側に位置する小口面11A の近くには、コンセント21を設けており、前記配線となる電線20は、そのコンセント21とつながるように収納されている。すなわち、二本の横芯材13,13 を横切って電線20が配設されるのであり、係る横芯材13,13 には、それぞれ方形状に開口した電線貫通溝13A,13A が設けられている。この電線貫通溝13A は、太い電線20、例えばＦケーブルであっても通るように、大きめにあけられている。
【００３５】
前記建築用パネル10において、図１に示す例では、束状にされた電線20と接触するように載置され、この束状とされた電線20を引き出す際に滑りをよくするための滑りシート16と、この滑りシート16と接触するように敷き詰められ、グラスウール等からなる断熱材15とを有している。そして、他方側の面材（図示せず）が枠材11に固定されている。
【００３６】
ここで、前記滑りシート16はポリエチレンシート、ボール紙または段ボール紙等からなり、図１に示す例では、その形状は縦芯材12と横芯材13とにより分割された区画に対応するような方形状であって、各区画にそれぞれ１枚ずつ、挿入した場合を示す。また、この滑りシート16は、図１に示すように、束状にされた電線20と、断熱材15との間に挟まれるように配置されている。
【００３７】
前記断熱材15は、図１に示すように、その形状は滑りシート16と略同様であって、縦芯材12と横芯材13とにより分割された区画に対応するような方形状に形成されている。なお、断熱材15としてグラスウールを使用した場合、断熱の効果に加えて、防音も達成することができる。
つぎに、上述した構成による建築用パネルの作用及び効果について説明する。
【００３８】
すなわち、上記の建築用パネル10は、図１に示すように、その内部に電線20を配線、並びに束状にして収納しているため、電線20を建築用パネル10と一体化することができる。このため、輸送時において電線20と建築用パネル10とを別々に輸送しなくてもよく、建築用パネル10を用いて建物の構成を行えば、建築用パネル10に沿って行うべき配線が終了することとなる。
【００３９】
さらに、この束状にされた電線20と断熱材15との間には、図１に示すように、面材14と平行に位置する滑りシート16が電線20と接触可能に隣接して配置されている。すなわち、断熱材15と、この断熱材15に臨む束状にされた電線20とが互いに接触していない。このため、建築用パネル10の内部から、電線取り出し孔14A を介して、束状にされた電線20を建築用パネル10の外に引っ張り出す際に、束状にされた電線20が断熱材15に絡むことなく、滑りシート16の表面に沿って移動することができる。また、滑りシート16の表面は摩擦抵抗が僅かとなるように形成されているため、束状にされた電線20の表面と滑りシート16との表面が接触しても、小さな引き出し力で、スムーズに引っ張り出すことができる。
【００４０】
さらに、上記の建築用パネル10によれば、束状にされた電線20の長手方向が枠材11の長辺方向と略平行となるように配置されている。このため、建築用パネル10を現場で組立てた後、電線取り出し孔14A から、束状にされた電線20を枠材11の長辺方向に引っ張ると、束状にされた電線20が建築用パネル10の外部で引っ張られる方向と、束状にされた電線20が建築用パネル10の内部で移動する方向とが、略同一の方向となる。これにより、束状にされた電線20が電線取り出し孔14A から引き出される際に、電線取り出し孔14A の内周面に当接して、取り出し作業が困難となることがない。
また、上述したように電線20の長手方向が枠材11の長辺方向と略平行となるように配置した方が、建築用パネル10を長辺方向が床に対して垂直となるように現場で組み立てた場合に、束状にされた電線20の長手方向が枠材11の長辺方向と略直角となるように配置するよりも、枠材11の分割された区画の中で束状にされた電線20が下方に移動して偏ることがない。
したがって、束状にされた電線20が区画の中で一方向に偏って、絡みの原因となって、取り出し作業が困難となることもない。さらに、束状にされた電線20は交互に所定長さで折り返して収納されているため、電線20を渦巻き状に巻いて収納するよりも、電線20がねじれることなく、順序良く、徐々に引っ張りだすことができ、電線20が建築用パネル10の内部で絡まったりすることもない。したがって、電線20を建築用パネル10の内部から電線取り出し孔14A を介して、スムーズに引き出すことができて、現場での電線20の引き出し作業を容易にすることができる。
【００４１】
また、上記の建築用パネル10では、図１に示すように、滑りシート16と、この滑りシートが臨む面材（図示せず）との間に、グラスウール等からなる断熱のための断熱材15が配置されている。この断熱材15が、面材14に対して、略直角方向に熱が移動するのを遮断する。これにより、断熱効果が優れた建築用パネル10を形成することができる。なお、断熱材15としてグラスウールを使用する場合は、防音も達成することができ、断熱効果に加えて、防音効果が優れた建築用パネル10を形成することができる。
【００４２】
また、建築用パネル10を立設して、ナット27で枠材11の短辺を外部のアンカーボルト28に固定する場合、電線取り出し孔14A からスパナ26等を枠材11の内部に挿入してナット27を回して固定させる。その際、図２に示すように、電線取り出し孔14A が三角形状に形成されているとともに、この三角形の底辺が枠材11の短辺に平行に形成されている。このため、この電線取り出し孔14A の三角形状の底辺を長く設定することにより、この底辺に沿ってスパナ26等を回転させることができる。これにより、スパナ26等を大きな回転角度で回すことができ、ナット27の締め付け作業を容易にすることができ、現場での組立作業を容易にすることができる。
【００４３】
続いて、図３に基づいて具体的な配線を行う場合について説明する。
まず、図３に示すように、建築用パネル10の壁パネル10A の立設が終了した場合、その上部の小口面には建築用パネル10の屋根パネル10B の下端の小口面が当接することによって建物の屋根部分の構造が形成される。ここにおいて、電線20を収納した建築用パネル10の電線取り出し孔14A からは束状にされた電線20を引き出し、屋根パネル10B の室内側の面においてステップル止め23を行いつつ、適宜の場所でそれら電線20をジョイントボックス22によって接続していく。
【００４４】
接続していった電線20の先には、図３に示すように、電気器具25が接続可能である。
上記の例では、電気器具25として電動シャッターを図示している。なお、建築用パネル10において、図３に示すように、電気器具25のスイッチ24を同時に備えることもできる。
上述したように、図１及び図２に基づいて説明した実施例の建築用パネル10によれば、現場における配線の手間を省略化できるとともに、現場組立における作業性が良好な建築用パネル10を提供することができる。
【００４５】
最後に、上記した例のバリエーションについて説明する。
上記の例では、束状にされた電線20と、断熱材15との間であって、束状にされた電線20の片面側にのみ接触するように滑りシート16を各区画ごとに１枚ずつ配置したが、もちろんこれに限定されることはなく、束状にされた電線20の両面に接触するように滑りシート16を各区画ごとに２枚ずつ配置しても良い。この場合、束状にされた電線20の両面とも、この電線20の周囲の面材14等と接触しておらず、完全に遮断されている。このため、建築用パネル10の内部から、電線取り出し孔14A を介して、電線20を建築用パネル10の外に引っ張り出す際に、電線20の表面が周囲の面材14等と接触することなく、束状にされた電線20の両面に配置された滑りシート16の摩擦抵抗が僅かなものとした表面に沿って移動する。これにより、建築用パネル10の内部に収納した束状にされた電線20をさらに小さな引き出し力で、スムーズに引っ張り出すことができ、現場作業をさらに容易なものとすることができる。
【００４６】
また、上記の例では、図１に示すように、電線20は、建築用パネル10の縦芯材12と横芯材13とにより分割された区画のうち、電線取り出し孔14A が配置された区画にのみ束状にしてあるが、特にこれに限定されることはなく、その他の区画においても電線20を束状にしても良い。これにより、さらに長さが長い電線20を一つの建築用パネル10の内部に収納することができる。
【００４７】
また、上記の例では、面材14は、上述したように建築用パネル10として通常の材質のものを使用しても良いが、本実施例に係る建築用パネル10の面材14のうち室内側に臨む側を、パネル製作を行う工場において、予め内壁面を形成する耐火板材を使用しても良い。ここで耐火板材とは、耐火材料によって形成された板材であり、ここにいう耐火材料とは、耐火性を認められた無機質材料、例えば石綿セメント、珪酸カルシウム、炭酸マグネシウム、珪石と石灰石とを主原料としたニューセラミック等をいう。
この建築用パネル10を使用して、現場において、建物を構成すれば、耐火板材の張り付けも同時に終了することになる。これにより、面材14を省略して部材点数を減らすことができるとともに、耐火板材の張り付け作業を省略することができて、現場での作業を容易にすることができる。
【００４８】
さらに、上記の例では、建築用パネル10の面材14のうち室外側に臨む側を、パネル製作を行う工場において、予め外壁面を形成する外壁仕上げ材を使用しても良い。この建築用パネル10を使用して、現場において、建物を構成すれば、外壁仕上げ材の張り付けも同時に終了することになる。これにより、面材14を省略して部材点数を減らすことができるとともに、外壁仕上げ材の張り付け作業を省略することができて、現場での作業を容易にすることができる。
【００４９】
さらにまた、上記の例では、建築用パネル10内には電線20のみを収納したが、可能であればジョイントボックス22、ステップル止め23等までを収納してもよい。これにより、ジョイントボックス22及びステップル止め23等を建築用パネル10と一体化することができ、輸送時において別々に輸送しなくてもよくなる。
また、建築用パネル10を用いて建物の構成を行えば、建築用パネル10に沿って行うべき配線が終了するとともに、ジョイントボックス22等の設置も終了することとなって、さらに現場組立作業を容易なものとすることができる。
【００５０】
さらに、この建築用パネル10に収納する電線20にはＦケーブル等を使用して配線が行われるが、このＦケーブルに接続するコンセント又はスイッチ等の種類により、異なる色の複数の種類のＦケーブルを同時に使用しても良い。これにより、現場での配線作業において、Ｆケーブルの色により、明確に配線作業を確認することができるため、現場での誤配線を防止することができる。
【００５１】
また、上記の例では、電線取り出し孔14A の外観形状はアンカーボルト28にナット27を取り付ける際の作業性を考慮して三角形としたが、電線取り出し孔14A の形状は特に三角形に限定されるものではない。アンカーボルト28で固定しないパネルにＦケーブル等を入れる場合は、円形の形状のものでも良く、さらに、円形以外の形状、例えば楕円形、雲形、または四角形等の多角形、あるいはＦケーブル等を引出し可能な任意の形状でも良い。
【００５２】
さて、以上のような構成をもつ建築用パネル10において、本発明に係る建築用パネルの特徴づけるところを、図４を用いて説明する。
図４は、本発明の建築用パネルの一実施例を示すものであって、建築用パネルの要部を拡大して示す一部平面図である。
本実施例は、前述した図１で説明した建築用パネル10とほぼ同様の構成であるが、相違するところは、枠材11の枠内に収納されていた束状にされた電線20と、滑りシート16との代わりに、本実施例の枠材11の枠内には、図４に示すように、束状にされた電線20と、その束状にされた電線20の周囲を包装する仕切板40とを収納している点に特徴を有するものである。
具体的には、その仕切板40は、可撓性を有する段ボールであって、束状にされた電線20に接触可能であり、電線20とその電線20に接触する周囲の部材との間を仕切るとともに電線20を引き出す際には電線20に加わる摩擦抵抗を小さくして束状にされた電線20を引出し易くするためのものである。また、仕切板40は、束状にした電線20の周囲を包装して電線20を束状にした状態のままで保持可能に形成されている。その他の構成は、前述した図１〜図３を用いて説明したものと同様の構成であって、同一の部品には、同一の部品番号を付して説明を省略する。
そして、このような実施例構成によれば、前述した図１等による原理説明図で説明したものと同様に、建築用パネル10の内部に電線20を収納しているため、電線20を建築用パネル10と一体化することができる。このため、輸送時において電線20と建築用パネル10とを別々に輸送しなくてもよく、建築用パネル10を用いて建物の構成を行えば、建築用パネル10に沿って行うべき配線が終了することとなる。
【００５３】
そして、仕切板40が、束状にされた電線20の周囲を包装するように保持することにより該電線20に接触可能に隣接して配置されることになるため、建築用パネル10の内部から電線20を建築用パネル10の外に引っ張り出す際には電線20が仕切板40の表面に沿って移動することができ、電線20に加わる摩擦抵抗が小さくなる。これにより、建築用パネル10の内部に収納された電線20の引き出し作業が容易となり、組立現場における現場作業を容易なものとすることができる。
【００５４】
なお、建築用パネル10の内部に収納された電線20の途中において、ステップル止め23により枠材11の内面に固定されている。これにより、所定の長さ以上、束状にされた電線20を引き出せないようにして、断線を防止するものである。
つぎに、本実施例に係る電線20を束状にして包装するための治具および電線20を束状にするための方法について説明する。
【００５５】
図５乃至図７は、電線を束状にするための工程を示すものであって、図５は、電線束状化治具に電線を巻き掛けていない状態の斜視図、図６は、電線束状化治具に電線を巻き掛けた状態の斜視図、図７は、電線束状化治具に電線を巻き掛けて仕切板で包装した状態の斜視図を各々示す。
まず、電線束状化治具30の構成について説明する。
【００５６】
電線束状化治具30は、四角枠をなす枠材11と、その枠材11のなす表裏面に固定される面材14とを備える建築用パネル11の内部に電線20を収納するために、電線20を束状化し、その束状化した電線20とその電線20に接触する断熱材15及び面材14等の周囲部材との間を仕切る仕切板40で束状化した状態の電線20を包装可能なものである。
具体的には、電線束状化治具30は、図５に示すように、平板状の支持部31と、この支持部31において仕切板40の幅よりも大きな間隔に離れた位置に二列に並んで支持部31から突出する複数の突部32とを有している。
【００５７】
電線束状化治具30の支持部31は、全体形状がほぼ方形状であって、一方の対片の中央付近には中心に向かって切り欠かれた切欠部34が形成されている。これは、折り畳んだ仕切板40の側縁の中央にホッチキス等の固定道具を容易に差し込めることができ、さらに、支持部31の上に置いた仕切板40を持ち上げる際に、仕切板40の両側下部に手等を容易に差し込めることもできるるように形成されたものである。電線束状化治具30の突部32は、その各列の間に電線20を交互に巻き掛けて電線20を束状可能に形成されている。また、仕切板40は、可撓性を有する段ボールであって、巻き掛けた電線20を内包するように折りたたむことにより包装可能に形成されている。
【００５８】
つぎに、図５乃至図７により、電線束状化治具30を用いて、電線20を束状に包装する方法について説明する。
まず、図５に示すように、電線束状化治具30を床又は作業台等の上に水平に載置する。つぎに、図６に示すように、二列に並んだ突部32の列間に仕切板40を置く。突部32の列間の間隔は、仕切板40の幅よりも大きな間隔に設定してあるため、容易に仕切板40をおくことができる。
【００５９】
つぎに、突部32の列間に仕切板40を置いた状態で、各列の突部32間に電線20を交互に巻き掛ける。これにより、電線20を束状にすることができる。
つぎに、図７に示すように、突部32間に電線を巻き掛けた状態で、電線20を内包するように仕切板40を折りたたむ。すなわち、図６に示すような状態の仕切板40の手前側と奥側が電線20の上で互いに一部重なるように折りたたむ。そして、互いに重なった仕切板40の数カ所に、図示しないが、ばらけないようにホッチキスで止めて固定する。これにより、図７に示すように、巻き掛けた電線20を束状に保持した状態で仕切板40により包装することができる。
【００６０】
つぎに、図示しないが、突部32から電線20を取り外すことにより、束状の電線20を仕切板40で包装したものを得ることができる。
最後に、束状の電線20を仕切板40で包装したものを建築用パネル10の枠材11の内部に入れることにより、束状の電線20を内部に有する建築用パネルが完成する。
【００６１】
この方法によれば、製造工程において、電線20のみを束状にした状態で仕切板40により包装して保持することができる。このため、建築用パネル10の製造工程において、枠材11等のパネルのみを形成するパネル製造ラインとは別に電線20のみを束状にした状態で仕切板40により包装する配線セットラインを設けることができる。そして、配線セットラインにおいて、束状の電線20を包装したもののみを大量に、且つ質の揃ったものを予めストックしておくことができ、製造コストを低減することができる。
【００６２】
【発明の効果】
本発明は、以上のように構成されているので、以下に記載されるような効果を奏する。
すなわち、本願の請求項１記載の発明によれば、建築用パネルの内部に予め電線を収納し、現場における配線の手間を省略化できるとともに、電線との摩擦抵抗を小さくした仕切板を用いることにより、スムーズに電線を建築用パネルの内部から引っ張り出すことができて、現場作業が容易な建築用パネルを提供することができる。
【００６３】
【００６４】
【００６５】
【００６６】
【００６７】
【図面の簡単な説明】
【図１】本発明に係る建築用パネルの概要を説明するための組立斜視図である。
【図２】本発明に係る建築用パネルにおいて、電線取り出し孔を示す外観斜視図である。
【図３】本発明に係る建築用パネルを用いた配線の様子を示す斜視図である。
【図４】本発明に係る建築用パネルにおいて、特徴づける部分を拡大して示す一部平面図である。
【図５】電線を束状にするための一工程であって、電線束状化治具に電線を巻き掛けていない状態を示す斜視図である。
【図６】電線を束状にするための一工程であって、電線束状化治具に電線を巻き掛けた状態を示す斜視図である。
【図７】電線を束状にするための一工程であって、電線束状化治具に電線を巻き掛けて仕切板で包装した状態を示す斜視図である。
【符号の説明】
１０…建築用パネル、１０Ａ…壁パネル、１０Ｂ…屋根パネル、１１…枠材、１１Ａ…小口面、１２…縦芯材、１３…横芯材、１３Ａ…電線貫通溝、１４…面材、１４Ａ…電線取り出し孔、１５…断熱材、１６…滑りシート、２０…電線、２１…コンセント、２２…ジョイントボックス、２３…ステップル止め、２４…スイッチ、２５…電気器具、２６…スパナ、２７…ナット、２８…アンカーボルト、３０…電線束状化治具、３１…支持部、３２…突部、３４…切欠部、４０…仕切板。
【図１】
0003610500.tif 000002
【図２】
0003610500.tif 000003
【図３】
0003610500.tif 000004
【図４】
0003610500.tif 000005
【図５】
0003610500.tif 000006
【図６】
0003610500.tif 000007
【図７】
0003610500.tif 000008